(57)【要約】【課題】その製造が容易かつ安価であり、カラーコピー機などによる偽造ができず、さらに、遠目からみても直ぐに本物であることが判定可能な身分証明書を提供すること。【解決手段】本人を特定するための情報が記された基材と、前記基材における前記情報が記された面の全体を覆うように形成された樹脂層と、からなる身分証明書において、前記樹脂層に、基材に記された情報がそのまま視認可能な平坦部と、基材に記された情報が立体的に、または変化して視認可能なレンチキュラーレンズ部とを設け、かつ、前記樹脂層を、射出成形により一体的に形成する。【選択図】図１
2009255320.tif 000002
【特許請求の範囲】
【請求項１】
本人を特定するための情報が記された基材と、前記基材における前記情報が記された面の全体を覆うように形成された樹脂層と、からなる身分証明書であって、
前記樹脂層は、基材に記された情報がそのまま視認可能な平坦部と、基材に記された情報が立体的に、または変化して視認可能なレンチキュラーレンズ部とが設けられており、
かつ、前記樹脂層は、射出成形により一体的に形成されていることを特徴とする身分証明書。
【請求項２】
前記レンチキュラーレンズ部が複数形成されており、各レンチキュラーレンズ部の方向が異なっていることを特徴とする請求項１に記載の身分証明書。
【発明の詳細な説明】
【技術分野】
【０００１】
本願発明はイベント会場等において用いられる身分証明書に関する。
【背景技術】
【０００２】
イベント会場等では、入場者の身分を証明するために各種身分証明書が利用されている。身分証明書は、プラスチックや紙などからなる基材に、顔写真、氏名、所属団体の名称、部署名などの個人情報の他、イベント名や有効期限などの各種情報が印刷等により記されているとともに、当該基材を樹脂層によって覆うことにより形成されている場合が多い。
【０００３】
このような身分証明書にあっては、カラーコピー機などを用いた偽造を防止する必要があり、種々の偽造防止技術が開発されている。具体的には、コピー牽制地紋を一部に設ける、パールインキや蓄光インキ、色彩可変インキなどを用いる、さらにはホログラム処理を施す、などの技術を挙げることができる。
【０００４】
また、特許文献１には、本人を特定するための情報を符号化（暗号化）し、これを特殊な装置で読み取ることにより、本人の身分を確認可能な身分証が開示されている。
【特許文献１】特開２０００−３０９１５４号公報
【発明の開示】
【発明が解決しようとする課題】
【０００５】
しかしながら、コピー抑制地紋やホログラムが用いられた身分証明書、および特許文献１に記載される身分証明書のいずれにあっても、それが本物であるか否かは至近距離でなければ判定することできず（特許文献１の身分証明書にあっては、１つ１つ特殊な装置で読み取らなければならず）、大型イベント会場などにあっては、警備側の負担が過大となるだけでなく、入場者も入場までにかなりの時間待たされることとなり、そのストレスは過大なものとなる。
【０００６】
本願発明はこのような状況に鑑みてなされたものであり、その製造が容易かつ安価であり、カラーコピー機などによる偽造ができず、さらに、遠目からみても直ぐに本物であることが判定可能な身分証明書を提供することを主たる課題とする。
【課題を解決するための手段】
【０００７】
前記課題を解決するための本願発明は、本人を特定するための情報が記された基材と、前記基材における前記情報が記された面の全体を覆うように形成された樹脂層と、からなる身分証明書であって、前記樹脂層は、基材に記された情報がそのまま視認可能な平坦部と、基材に記された情報が立体的に、または変化して視認可能なレンチキュラーレンズ部とが設けられており、かつ、前記樹脂層は、射出成形により一体的に形成されていることを特徴とする。
【０００８】
また、前記身分証明書にあっては、前記レンチキュラーレンズ部が複数形成されており、各レンチキュラーレンズ部の方向が異なっていることが好ましい。
【発明の効果】
【０００９】
本願発明の身分証明書によれば、基材を覆う樹脂層に平坦部とレンチキュラーレンズ部とが設けられているため、身分証明書の表面形状が従来にはない独特の形状となる。従って、遠目から見ても直感的にその真贋を判別することができる。また、本願発明の身分証明書はレンチキュラーレンズ部が設けられていることから、カラーコピー機などによって偽造することは不可能である。
【００１０】
さらに、本願発明の身分証明書を構成する樹脂層は、射出成形により一体的に形成されるため、安価かつ容易に形成可能であると共に、レンチキュラーレンズ部のみを別途形成しこれを樹脂上に貼り付けることによって形成した偽造品との判別も容易である。また、真贋の判別が容易であることから、偽造抑制効果も期待できる。
【００１１】
また、本願発明の身分証明書において、レンチキュラーレンズ部を複数形成し、かつ各レンチキュラーレンズ部の方向を異ならせることにより、上記効果をより発揮せしめることができる。
【発明を実施するための最良の形態】
【００１２】
以下に、本願発明の身分証明書について、図面を用いて具体的に説明する。
【００１３】
図１（ａ）は、本願発明の身分証明書の正面図であり、（ｂ）は、（ａ）に示す身分証明書のＸ−Ｘ断面図であり、（ｃ）は（ａ）に示す身分証明書のＹ−Ｙ断面図である。
【００１４】
図１に示すように、本願発明の身分証明書１は、本人を特定するための情報が記された基材２と、前記基材２における前記情報が記された面の全体を覆うように形成された樹脂層３と、から構成されている。そして、前記樹脂層は、基材２に記された情報がそのまま視認可能な平坦部３１と、基材に記された情報が立体的に、または変化して視認可能なレンチキュラーレンズ部３２とが設けられており、かつ、前記樹脂層３は、射出成形により一体的に形成されている点に特徴を有している。
【００１５】
本願発明の身分証明書１を構成する基材２の材質としては特に限定されることはなく、現在使用されている紙、合成紙、プラスチックなどを適宜選択して用いることが可能である。身分証明書１の耐久性を考慮すると、プラスチックを用いることが好ましく、具体的には、ポリエチレンテレフタレート（ＰＥＴ）、ポリ塩化ビニル（ＰＶＣ）、ポリエステル、ポリカーボネート、ポリメタクリル酸メチル、ポリスチレン、アラミド、ポリイミド、ＡＢＳ（アクリロニトリル・ブタジエン・スチレン共重合体）、ＰＬＡ（ポリ乳酸）などの各プラスチック樹脂を挙げることができる。また、図示はしないが、基材２は必ずしも単層構造である必要はなく、必要に応じて異なる材質からなる層を積層して基材２としてもよい。
【００１６】
基材２の厚さについても本願発明は特に限定することはないが、例えば、０．００５〜１ｍｍ程度が好ましい。
【００１７】
基材２には、少なくとも本人を特定するための情報が記されている。図１においては、本人の顔写真２１、職種（図１においては「ＰＲＥＳＳ」）２２、氏名（図１においては「○○花子およびＨａｎａｋｏ  ○○」）２３、会社名（図１においては「××  ××××Ｃｏ．，Ｌｔｄ」）２４、およびＩＤ番号（図１においては「１２３４」）２５が記されている。なお、基材２には、上記本人を特定するための情報以外の情報が記載されていてもよい。例えば図１に示す身分証明書１にあっては、イベント名（図１においては「ＷＯＲＬＤ  ＣＵＰ  ２００７  Ｔｏｋｙｏ  Ｊａｐａｎ」）や、開催期間（図１においては「２００７／１１／１〜１１／３０」）等が記されていてもよい。
【００１８】
ここで、本人を特定するための情報２１〜２５や、その他の情報を基材２に記す方法については特に限定されることはなく、各種印刷、手書き、貼り付け、などの方法を適宜選択して用いることができる。なお、図１の身分証明書１にあっては、全て印刷により記されている。
【００１９】
図１に示すように、本願発明の身分証明書１は、前述した基材２における各種情報が記載された面の全体を覆うように樹脂層３が形成されている。そして、前記樹脂層は、基材２に記された情報がそのまま視認可能な平坦部３１と、基材に記された情報が立体的に、または変化して視認可能なレンチキュラーレンズ部３２とが設けられており、かつ、前記樹脂層３は、射出成形により一体的に形成されている点に特徴を有している。
【００２０】
ここでまず、当該樹脂層３の材質については、本願発明は特に限定することはないが、当該樹脂層３は射出成形により一体的に形成されるため、射出成形に適した樹脂を用いることが好ましい。具体的には、塩化ビニル、ポリエチレンテレフタレート（ＰＥＴ）、ポリアミド、ポリイミド、ポリカーボネート、セルロースエステル、フッ化ポリマー、ポリアセタール、ポリオレフィン、アラミド、フッ素樹脂、ＡＢＳ（アクリロニトリル・ブタジエン・スチレン共重合体）、ＰＬＡ（ポリ乳酸）などの各種プラスチック樹脂を挙げることができる。
【００２１】
また、当該樹脂層３の厚さについても、本願発明は特に限定することはなく、適宜設計可能である。
【００２２】
このような樹脂層３は、基材２に記された情報がそのまま視認可能な平坦部３１と、基材に記された情報が立体的に、または変化して視認可能なレンチキュラーレンズ部３２とが設けられていることに特徴を有している。
【００２３】
ここで、平坦部３１、およびレンチキュラーレンズ部３２を設ける場所については、特に限定されることはなく、任意に設計可能であるが、例えば図１に示すように、本人であることを特定するための情報のうち顔写真２１や職種２２が記されている部分に合わせてレンチキュラーレンズ部３２を形成し、その他の部分を平坦部３１とすることが好ましい。身分証明書１において重要度の高い部分をレンチキュラーレンズ部３２とすることにより、偽造を効果的に防止することができる。
【００２４】
図１に示すように、レンチキュラーレンズ部３２を複数形成する場合には、各レンチキュラーレンズ部３２の方向が異なるように形成することが好ましい。レンチキュラーレンズ部３２の方向を異ならせることにより、身分証明書１の外観がより特徴的になり、遠目からもその真贋を容易に判別することができるとともに、偽造を防止することができる。
【００２５】
ここで、レンチキュラーレンズ部３２の方向とは、図１（ｂ）および（ｃ）に記載するように、レンチキュラーレンズ部３２を構成する、連接する複数のレンズが延びる方向をいう。換言すれば、レンチキュラーレンズ部３２の表面に形成される溝の方向をいう。
【００２６】
基材２の所定の部分、図１においては顔写真２１および職種２２が記されている部分にレンチキュラーレンズ部３２を設けることにより、当該部分に記載されている情報を立体的に、もしくは変化して視認可能とすることができる。
【００２７】
図１においては、顔写真２１の部分は変化して視認可能となっており、一方職種２２の部分は立体的に視認可能となっている。
【００２８】
ここで、顔写真２１の部分を変化させる場合には、顔写真のみならず、変化させるための画像（図１においては数字の「３」）を予め用意し、レンチキュラーレンズ部３２を構成するレンズの幅に合わせて２種類の画像（顔写真と数字の「３」）を短冊状に分解し、これらを交互に基材２に印刷しておけばよい。一方、職種２２の部分を立体的にする場合には、職種２２を示す画像（図１においては「ＰＲＥＳＳ」）を２つ用意し、一方を右目用の画像とし他方を左目用の画像とし、前記と同様、レンズの幅に合わせて２種類の画像を短冊状に分解し、これらを交互に基材２に印刷しておけばよい。
【００２９】
なお、レンチキュラーレンズを用いて画像を変化させたり、立体的にしたりする技術については従来公知の技術であり、本願発明においては、従来公知の技術を適宜選択して用いることができる。
【００３０】
本願発明における樹脂層３は、射出成形により一体的に形成されている点にも特徴を有している。
【００３１】
射出成形により一体的に形成することにより、図１に示すように、部分的に複数のレンチキュラーレンズ部３２を有し、かつ、各レンチキュラーレンズ部の方向が異なっている樹脂層３であっても、安価かつ容易に形成することができる。
【００３２】
ここで、樹脂層３を形成するための射出成形については、本願発明は特に限定することはなく、従来公知の射出成形機を用いることができる。具体的には、レンチキュラーレンズ部に対応する部分が設けられている射出成形型を用意し、当該型の中に、本人を特定するための情報やその他の情報が予め印刷された基材２をセットし、基材２を型中に固定した状態で、溶融した樹脂を射出することにより、基材２の表面に樹脂層３を形成すればよい。
【００３３】
以上に説明した本願発明の身分証明書によれば、基材を覆う樹脂層に平坦部とレンチキュラーレンズ部とが設けられているため、身分証明書の表面形状が従来にはない独特の形状となる。従って、遠目から見ても直感的にその真贋を判別することができる。また、本願発明の身分証明書はレンチキュラーレンズ部が設けられていることから、カラーコピー機などによって偽造することは不可能である。
【００３４】
さらに、本願発明の身分証明書を構成する樹脂層は、射出成形により一体的に形成されるため、安価かつ容易に形成可能であると共に、レンチキュラーレンズ部のみを別途形成しこれを樹脂上に貼り付けることによって形成した偽造品との判別も容易である。また、真贋の判別が容易であることから、偽造抑制効果も期待できる。
【００３５】
また、本願発明の身分証明書において、レンチキュラーレンズ部を複数形成し、かつ各レンチキュラーレンズ部の方向を異ならせることにより、上記効果をより発揮せしめることができる。
【図面の簡単な説明】
【００３６】
【図１】図１（ａ）は、本願発明の身分証明書の正面図であり、（ｂ）は、（ａ）に示す身分証明書のＸ−Ｘ断面図であり、（ｃ）は（ａ）に示す身分証明書のＹ−Ｙ断面図である。
【符号の説明】
【００３７】
１  …  身分証明書
２  …  基材
３  …  樹脂層
３１  …  平坦部
３２  …  レンチキュラーレンズ部
【図１】
2009255320.tif 000003